(57)【特許請求の範囲】
【請求項１】
ゴム状弾性材製の弾性体（８）を介して一方の取付部（１）と接続された他方の取付部（４）のリング部材（５）の内周側に主液室（１０）が配置され、前記リング部材（５）の外周側に副液室（１２）が配置され、ダイアフラム（１７）により一方の開口部が閉塞されているアイドルオリフィス（１６）と荷重入力方向に対して直交する方向に並べられているショックオリフィス（１５）を介して両液室（１０）（１２）が接続されされていることを特徴とする液体封入式マウント。
【発明の詳細な説明】
【０００１】
【発明の属する技術分野】
本発明は、防振技術に係る液体封入式マウントに関する。
【０００２】
【従来の技術】
特開昭６０−１３２１４４号公報または実公平２−３９０６５号公報に掲載されているように、従来の液体封入式マウントにおいては、主液室と副液室とが荷重入力方向に並べられており、よってマウントが同方向に長い形状であった。換言すると、ゴム状弾性材製の弾性体を介して一方の取付部と接続された他方の取付部の内周側に主液室と副液室とが縦並びに配置され、両液室がオリフィスを介して接続されていた訳である。
【０００３】
【発明が解決しようとする課題】
本発明は上記従来技術に対して荷重入力方向に比較的短い形状を呈し、もって同方向についてコンパクト化された液体封入式マウントを提供することを目的とする。
【０００４】
【課題を解決するための手段】
上記目的を達成するため、本発明の液体封入式マウントは、ゴム状弾性材製の弾性体を介して一方の取付部と接続された他方の取付部のリング部材の内周側に主液室が配置され、前記リング部材の外周側に副液室が配置され、ダイアフラムにより一方の開口部が閉塞されているアイドルオリフィスと荷重入力方向に対して直交する方向に並べられているショックオリフィスを介して両液室が接続されていることにした。
【０００５】
【作用】
上記構成を備えた本発明の液体封入式マウントのように、ゴム状弾性材製の弾性体を介して一方の取付部と接続された他方の取付部のリング部材の内周側に主液室が配置され、リング部材の外周側に副液室が配置され、ダイアフラムにより一方の開口部が閉塞されているアイドルオリフィスと荷重入力方向に対して直交する方向に並べられているショックオリフィスを介して両液室が接続され、主液室と副液室とが荷重入力方向に対して直交する方向に並べられ、よってマウントが荷重入力方向について比較的短くコンパクトな形状となる。またリング部材の外周側に配置された副液室が環状を呈することになるために、副液室がその高さの割りに大きな容積を確保し、よってマウントが荷重入力方向に対して直交する方向についても其程大型化することがない。
【０００６】
【発明の実施の形態】
リング部材の外周側に副液室を配置するためには副液室の外周側を画する部材が必要となり、よって他方の取付部がこの外周側の部材とリング部材とを備えることになる。
【０００７】
【実施例】
つぎに本発明の実施例を図面にしたがって説明する。
【０００８】
図１に示すように、センターボス２および取付ボルト３を備えた一方の取付部１と、それぞれ環状を呈するリング部材（アウターリングとも称する）５およびケース６ならびにカップ状を呈する蓋７を備えた他方の取付部４とが、センターボス２およびリング部材５に加硫接着された環状を呈するゴム状弾性材製の弾性体（ゴム脚部とも称する）８を介して接続されており、リング部材５の内周側に円盤状のオリフィス部材９が嵌着され、このオリフィス部材９の上方であってリング部材５の内周側に主液室１０が設けられている。
【０００９】
リング部材５の下端部に外向きにフランジ部５ａが設けられ、図４に示すように、このフランジ部５ａの外周縁部に平面扇形を呈するダイアフラム張設空間５ｂが四等配で切欠成形され、このダイアフラム張設空間５ｂにそれぞれ同じく平面扇形を呈するゴム状弾性材製のダイアフラム１１が一枚ずつ張設され、フランジ部５ａ、各ダイアフラム１１および蓋７がこれらの外周縁部をもって纏めてケース６の下端部にカシメ固定されている。またリング部材５の上端部に今一つ外向きのフランジ部５ｃが設けられ、このフランジ部５ｃの外周縁部にケース６の上端部が全周に亙って固定され、ケース６の内周側であってリング部材５の外周側に環状を呈する副液室１２が設けられている。
【００１０】
オリフィス部材９は二枚のオリフィスプレート１３，１４を上下に重ね合わせたもので、図１、図３または図４に示すように、以下のようなショックオリフィス１５およびアイドルオリフィス１６を備えている。
【００１１】
すなわち、先ず、ショックオリフィス１５は、上側のオリフィスプレート１３に設けられた開口１３ａと、下側のオリフィスプレート１４の上面に設けられた平面円弧形の溝状流路１４ａと、同じく下側のオリフィスプレート１４の上面に設けられた径方向直線状の溝状流路１４ｂと、リング部材５に設けられた窓状の開口５ｄとを連続的に備えており、この順番をもって主液室１０と副液室１２とを連通させている。溝状流路１４ａ，１４ｂはそれぞれ上側のプレート１３により上面を閉塞されている。
【００１２】
またアイドルオリフィス１６は、上側のオリフィスプレート１３に設けられた開口１３ｂと、下側のオリフィスプレート１４の上面に設けられた平面円弧形の溝状流路１４ｃと、リング部材５に設けられた窓状の開口５ｅと、この開口５ｅを閉塞するようにこの開口５ｅの全面に張設されたゴム状弾性材製のダイアフラム（サブダイアフラムとも称する）１７とを備えている（ダイアフラム１７が無ければショックオリフィス１５と同様に、主液室１０と副液室１２とを連通させるが、ダイアフラム１７が有るために主液室１０と副液室１２とを連通させてはいない）。溝状流路１４ｃは上側のプレート１３により上面を閉塞されている。
【００１３】
主液室１０、副液室１２および両オリフィス１５，１６内に粘性流体等の作動液（内封液とも称する）１８が封入されている。弾性体８および各ダイアフラム１１，１７は一つの加硫型によって纏めてリング部材５に加硫接着されている。
【００１４】
上記構成を備えた液体封入式マウントは、例えば一方の取付部１を自動車のエンジン側に接続するとともに他方の取付部４を車体側に接続してエンジンを防振支持するもので、上記構成により以下の作用効果を奏する点に特徴を有している。
【００１５】
▲１▼  主液室１０と副液室１２とが荷重入力方向（図上上下方向）に対して直交する方向（図上左右方向）に並べられているために、当該マウントが荷重入力方向について比較的短くコンパクトな形状となっている。したがって同方向についてマウントを小型化することができる。
▲２▼  リング部材５の外周側に配置された副液室１２が環状であるために、副液室１２がその高さの割りに大きな容積を確保している。したがってマウントが荷重入力方向に対して直交する方向についても其程大型化することがない。
【００１６】
▲３▼  弾性体８および各ダイアフラム１１，１７が一つの加硫型によって纏めてリング部材５に加硫接着されているために、加硫部品および加硫型がそれぞれ一つで良い。したがってコスト的に有利である。
▲４▼  アイドルオリフィス１６のダイアフラム１７が常に弾性を有しているために、アイドルオリフィス１６が袋小路になっていても、アイドルオリフィス１６が常にオリフィス効果を発揮する。すなわちマウントが常に二つのオリフィス１５，１６を有していることになり、特にオリフィス作動がアイドルからショックに切り換わる際の動ばねの急激な変化を抑えることができる。
【００１７】
【発明の効果】
本発明は、以下の効果を奏する。
【００１８】
（１）ゴム状弾性材製の弾性体を介して一方の取付部と接続された他方の取付部のリング部材の内周側に主液室が配置され、リング部材の外周側に副液室が配置され、ダイアフラムにより一方の開口部が閉塞されているアイドルオリフィスと荷重入力方向に対して直交する方向に並べられているショックオリフィスを介して両液室が接続されて、主液室と副液室とが荷重入力方向に対して直交する方向に並べられているために、荷重入力方向についての当該マウントの形状が比較的短くコンパクトである。したがって同方向についてマウントを小型化することができる。
（２）リング部材の外周側に配置された副液室が環状を呈するために、副液室がその高さの割りに大きな容積を確保している。したがってマウントが荷重入力方向に対して直交する方向についても其程大型化することがない。
【図面の簡単な説明】
【図１】本発明の実施例に係る液体封入式マウントの断面図で、図２におけるＡ−Ｂ−Ｃ−Ｄ線断面図
【図２】オリフィスの構造を示す説明図
【図３】リング部材の正面図
【図４】リング部材の底面図
【符号の説明】
１  一方の取付部
２  センターボス
３  取付ボルト
４  他方の取付部
５  リング部材
５ａ，５ｃ  フランジ部
５ｂ  ダイアフラム張設空間
５ｄ，５ｅ，１３ａ，１３ｂ  開口
６  ケース
７  蓋
８  弾性体
９  オリフィス部材
１０  主液室
１１，１７  ダイアフラム
１２  副液室
１３，１４  オリフィスプレート
１４ａ，１４ｂ，１４ｃ  溝状流路
１５  ショックオリフィス（オリフィス）
１６  アイドルオリフィス（オリフィス）
１８  作動液
【図１】
0003682802.tif 000002
【図２】
0003682802.tif 000003
【図３】
0003682802.tif 000004
【図４】
0003682802.tif 000005